(57)【特許請求の範囲】
【請求項１】
物干し竿に吊下げられる湾曲状をした吊下部が上部に設けられ、前記吊下部の下側に前記物干し竿を通すための切欠部が形成されたフック本体と、
このフック本体の前記切欠部よりも下側の位置に設けた軸に、前記切欠部を塞ぐ状態と前記切欠部を開放する状態とにわたり揺動可能に支持された抜け防止部材と、
この抜け防止部材を前記塞ぐ状態となるように押圧付勢するコイルばねと、
前記フック本体の下部に設けられ、衣類をかけるように両側に形成される両肩支持部とを備え、
前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、
この他方側部は、前記折れ曲がりの側が開放した開放部と前記折れ曲がりの側と反対の側の端部が閉塞した閉塞部とを有し、
この閉塞部から前記開放部に至る部位に通路が形成され、
前記フック本体の下部は、前記両肩支持部の中央に向かって略垂下する垂下部に形成され、
前記垂下部の断面形状は、略コの字形状であり、
前記コイルばねは、巻回部と、この巻回部の一端が直線状に延びた第１の直線部と、前記巻回部の他端が直線状に延びた第２の直線部とを有し、
前記軸は、前記フック本体の表側に位置する第１の軸と、前記フック本体の裏側に位置する第２の軸とを有し、
前記コイルばねの前記巻回部は、前記フック本体の前記第１の軸と前記第２の軸との間の空所に位置し、
前記コイルばねの前記第１の直線部は前記他方側部内に位置し、前記コイルばねの前記第２の直線部は前記垂下部内に位置し、
前記垂下部の略コの字形状の開放部は、第１の部材で閉塞され、
前記第１の部材は、前記コイルばねの前記第２の直線部に対向し、
前記他方側部が前記第１の直線部から離脱する長手方向への移動を規制する第１の移動規制手段を備え、
この第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである
ことを特徴とするハンガー。
【請求項２】
物干し竿に吊下げられる湾曲状をした吊下部が上部に設けられ、前記吊下部の下側に前記物干し竿を通すための切欠部が形成されたフック本体と、
このフック本体の前記切欠部よりも下側の位置に設けた軸に、前記切欠部を塞ぐ状態と前記切欠部を開放する状態とにわたり揺動可能に支持された抜け防止部材と、
この抜け防止部材を前記塞ぐ状態となるように押圧付勢するコイルばねと、
前記フック本体の下部に設けられ、衣類をかけるように両側に形成される両肩支持部とを備え、
前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、
この他方側部は、前記折れ曲がりの側が開放した開放部と前記折れ曲がりの側と反対の側の端部が閉塞した閉塞部とを有し、
この閉塞部から前記開放部に至る部位に通路が形成され、
前記フック本体の下部は、前記両肩支持部の中央に向かって略垂下する垂下部に形成され、
前記垂下部の断面形状は、略コの字形状であり、
前記コイルばねは、巻回部と、この巻回部の一端が直線状に延びた第１の直線部と、前記巻回部の他端が直線状に延びた第２の直線部とを有し、
前記軸は、前記フック本体の表側に位置する第１の軸と、前記フック本体の裏側に位置する第２の軸とを有し、
前記コイルばねの前記巻回部は、前記フック本体の前記第１の軸と前記第２の軸との間の空所に位置し、
前記コイルばねの前記第１の直線部は前記他方側部内に位置し、前記コイルばねの前記第２の直線部は前記垂下部内に位置し、
前記垂下部の略コの字形状の開放部は、第１の部材で閉塞され、
前記第１の部材は、前記コイルばねの前記第２の直線部に対向し、
前記他方側部が前記第１の直線部から離脱する長手方向への移動を規制する第１の移動規制手段と、
前記垂下部が前記第２の直線部から離脱する長手方向への移動を規制する第２の移動規制手段と、を備え、
前記第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである
ことを特徴とするハンガー。
【請求項３】
物干し竿に吊下げられる湾曲状をした吊下部が上部に設けられ、前記吊下部の下側に前記物干し竿を通すための切欠部が形成されたフック本体と、
このフック本体の前記切欠部よりも下側の位置に設けた軸に、前記切欠部を塞ぐ状態と前記切欠部を開放する状態とにわたり揺動可能に支持された抜け防止部材と、
この抜け防止部材を前記塞ぐ状態となるように押圧付勢するコイルばねと、
前記フック本体の下部に設けられ、衣類をかけるように両側に形成される両肩支持部とを備え、
前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、
この他方側部は、前記折れ曲がりの側が開放した開放部と前記折れ曲がりの側と反対の側の端部が閉塞した閉塞部とを有し、
この閉塞部から前記開放部に至る部位に通路が形成され、
前記フック本体の下部は、前記両肩支持部の中央に向かって略垂下する垂下部に形成され、
前記垂下部の断面形状は、略コの字形状であり、
前記コイルばねは、巻回部と、この巻回部の一端が直線状に延びた第１の直線部と、前記巻回部の他端が直線状に延びた第２の直線部とを有し、
前記軸は、前記コイルばねの前記巻回部を貫通して取り付けられ、
前記コイルばねの前記第１の直線部は前記他方側部内に位置し、前記コイルばねの前記第２の直線部は前記垂下部内に位置し、
前記垂下部の略コの字形状の開放部は、第１の部材で閉塞され、
前記第１の部材は、前記コイルばねの前記第２の直線部に対向し、
前記他方側部が前記第１の直線部から離脱する長手方向への移動を規制する第１の移動規制手段を備え、
この第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである
ことを特徴とするハンガー。
【請求項４】
物干し竿に吊下げられる湾曲状をした吊下部が上部に設けられ、前記吊下部の下側に前記物干し竿を通すための切欠部が形成されたフック本体と、
このフック本体の前記切欠部よりも下側の位置に設けた軸に、前記切欠部を塞ぐ状態と前記切欠部を開放する状態とにわたり揺動可能に支持された抜け防止部材と、
この抜け防止部材を前記塞ぐ状態となるように押圧付勢するコイルばねと、
前記フック本体の下部に設けられ、衣類をかけるように両側に形成される両肩支持部とを備え、
前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、
この他方側部は、前記折れ曲がりの側が開放した開放部と前記折れ曲がりの側と反対の側の端部が閉塞した閉塞部とを有し、
この閉塞部から前記開放部に至る部位に通路が形成され、
前記フック本体の下部は、前記両肩支持部の中央に向かって略垂下する垂下部に形成され、
前記垂下部の断面形状は、略コの字形状であり、
前記コイルばねは、巻回部と、この巻回部の一端が直線状に延びた第１の直線部と、前記巻回部の他端が直線状に延びた第２の直線部とを有し、
前記軸は、前記コイルばねの前記巻回部を貫通して取り付けられ、
前記コイルばねの前記第１の直線部は前記他方側部内に位置し、前記コイルばねの前記第２の直線部は前記垂下部内に位置し、
前記垂下部の略コの字形状の開放部は、第１の部材で閉塞され、
前記第１の部材は、前記コイルばねの前記第２の直線部に対向し、
前記他方側部が前記第１の直線部から離脱する長手方向への移動を規制する第１の移動規制手段と、
前記垂下部が前記第２の直線部から離脱する長手方向への移動を規制する第２の移動規制手段と、を備え、
この第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである
ことを特徴とするハンガー。
【請求項５】
第２の移動規制手段は、
前記コイルばねの第２の直線部の先端側が折り返されて形成されたＵ字形状部の弾性力によって前記Ｕ字形状部が垂下部の内壁に当接し、前記垂下部が前記第２の直線部から離脱する長手方向への移動を規制するか、又は、前記コイルばねの前記第２の直線部の先端側に形成された第２の鈎部と、前記垂下部内に設けられた第２の係止部とを備え、前記第２の鈎部と前記コイルばねの巻回部との間に前記第２の係止部が位置し、前記垂下部が前記第２の直線部から離脱する長手方向への移動を規制するか、又は、前記コイルばねの前記第２の直線部の先端側に形成された第２の鈎部と、前記第２の鈎部に対向する前記他方側部の部位に設けられた第２の開口部とを備え、前記第２の鈎部が前記第２の開口部に位置し、前記垂下部が前記第２の直線部から離脱する長手方向への移動を規制するものである
ことを特徴とする請求項２又は４記載のハンガー。
【発明の詳細な説明】
【技術分野】
【０００１】
本発明は、ハンガーに係り、特に、安全性を図ったハンガーに関する。
【背景技術】
【０００２】
従来、図１８乃至図２１に示すハンガー１００がある。このハンガー１００は、フック本体１０１の切欠部１０２を塞ぐ状態と切欠部１０２を開放する状態とにわたり揺動可能に支持された抜け防止部材１０３と、この抜け防止部材１０３を前記塞ぐ状態となるように押圧付勢するコイルばね１０４とを備えている。
【発明の概要】
【発明が解決しようとする課題】
【０００３】
ところが、ハンガー１００の経時的変化等により、抜け防止部材１０３の一部が破損（例えば、図１８及び図２１に示す破壊部Ｄ）して、図２１に示すように、コイルばね１０４が剥き出しの状態となって、作業者の手等を損傷したり、コイルばね１０４がフック本体１０１から分離して、作業者の顔などに跳ね飛ぶという問題点が生じた。
【０００４】
本発明は、前記問題点を考慮したなされたハンガーを提供することを目的とする。
【課題を解決するための手段】
【０００５】
請求項１記載のハンガーは、物干し竿に吊下げられる湾曲状をした吊下部が上部に設けられ、前記吊下部の下側に前記物干し竿を通すための切欠部が形成されたフック本体と、このフック本体の前記切欠部よりも下側の位置に設けた軸に、前記切欠部を塞ぐ状態と前記切欠部を開放する状態とにわたり揺動可能に支持された抜け防止部材と、この抜け防止部材を前記塞ぐ状態となるように押圧付勢するコイルばねと、前記フック本体の下部に設けられ、衣類をかけるように両側に形成される両肩支持部とを備え、前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、この他方側部は、前記折れ曲がりの側が開放した開放部と前記折れ曲がりの側と反対の側の端部が閉塞した閉塞部とを有し、この閉塞部から前記開放部に至る部位に通路が形成され、前記フック本体の下部は、前記両肩支持部の中央に向かって略垂下する垂下部に形成され、前記垂下部の断面形状は、略コの字形状であり、前記コイルばねは、巻回部と、この巻回部の一端が直線状に延びた第１の直線部と、前記巻回部の他端が直線状に延びた第２の直線部とを有し、前記軸は、前記フック本体の表側に位置する第１の軸と、前記フック本体の裏側に位置する第２の軸とを有し、前記コイルばねの前記巻回部は、前記フック本体の前記第１の軸と前記第２の軸との間の空所に位置し、前記コイルばねの前記第１の直線部は前記他方側部内に位置し、前記コイルばねの前記第２の直線部は前記垂下部内に位置し、前記垂下部の略コの字形状の開放部は、第１の部材で閉塞され、前記第１の部材は、前記コイルばねの前記第２の直線部に対向し、前記他方側部が前記第１の直線部から離脱する長手方向への移動を規制する第１の移動規制手段を備え、この第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである。
【０００６】
また、請求項２記載のハンガーは、物干し竿に吊下げられる湾曲状をした吊下部が上部に設けられ、前記吊下部の下側に前記物干し竿を通すための切欠部が形成されたフック本体と、このフック本体の前記切欠部よりも下側の位置に設けた軸に、前記切欠部を塞ぐ状態と前記切欠部を開放する状態とにわたり揺動可能に支持された抜け防止部材と、この抜け防止部材を前記塞ぐ状態となるように押圧付勢するコイルばねと、前記フック本体の下部に設けられ、衣類をかけるように両側に形成される両肩支持部とを備え、前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、この他方側部は、前記折れ曲がりの側が開放した開放部と前記折れ曲がりの側と反対の側の端部が閉塞した閉塞部とを有し、この閉塞部から前記開放部に至る部位に通路が形成され、前記フック本体の下部は、前記両肩支持部の中央に向かって略垂下する垂下部に形成され、前記垂下部の断面形状は、略コの字形状であり、前記コイルばねは、巻回部と、この巻回部の一端が直線状に延びた第１の直線部と、前記巻回部の他端が直線状に延びた第２の直線部とを有し、前記軸は、前記フック本体の表側に位置する第１の軸と、前記フック本体の裏側に位置する第２の軸とを有し、前記コイルばねの前記巻回部は、前記フック本体の前記第１の軸と前記第２の軸との間の空所に位置し、前記コイルばねの前記第１の直線部は前記他方側部内に位置し、前記コイルばねの前記第２の直線部は前記垂下部内に位置し、前記垂下部の略コの字形状の開放部は、第１の部材で閉塞され、前記第１の部材は、前記コイルばねの前記第２の直線部に対向し、前記他方側部が前記第１の直線部から離脱する長手方向への移動を規制する第１の移動規制手段と、前記垂下部が前記第２の直線部から離脱する長手方向への移動を規制する第２の移動規制手段と、を備え、前記第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである。
【０００７】
また、請求項３記載のハンガーは、物干し竿に吊下げられる湾曲状をした吊下部が上部に設けられ、前記吊下部の下側に前記物干し竿を通すための切欠部が形成されたフック本体と、このフック本体の前記切欠部よりも下側の位置に設けた軸に、前記切欠部を塞ぐ状態と前記切欠部を開放する状態とにわたり揺動可能に支持された抜け防止部材と、この抜け防止部材を前記塞ぐ状態となるように押圧付勢するコイルばねと、前記フック本体の下部に設けられ、衣類をかけるように両側に形成される両肩支持部とを備え、前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、この他方側部は、前記折れ曲がりの側が開放した開放部と前記折れ曲がりの側と反対の側の端部が閉塞した閉塞部とを有し、この閉塞部から前記開放部に至る部位に通路が形成され、前記フック本体の下部は、前記両肩支持部の中央に向かって略垂下する垂下部に形成され、前記垂下部の断面形状は、略コの字形状であり、前記コイルばねは、巻回部と、この巻回部の一端が直線状に延びた第１の直線部と、前記巻回部の他端が直線状に延びた第２の直線部とを有し、前記軸は、前記コイルばねの前記巻回部を貫通して取り付けられ、前記コイルばねの前記第１の直線部は前記他方側部内に位置し、前記コイルばねの前記第２の直線部は前記垂下部内に位置し、前記垂下部の略コの字形状の開放部は、第１の部材で閉塞され、前記第１の部材は、前記コイルばねの前記第２の直線部に対向し、前記他方側部が前記第１の直線部から離脱する長手方向への移動を規制する第１の移動規制手段を備え、この第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである。
【０００８】
また、請求項４記載のハンガーは、物干し竿に吊下げられる湾曲状をした吊下部が上部に設けられ、前記吊下部の下側に前記物干し竿を通すための切欠部が形成されたフック本体と、このフック本体の前記切欠部よりも下側の位置に設けた軸に、前記切欠部を塞ぐ状態と前記切欠部を開放する状態とにわたり揺動可能に支持された抜け防止部材と、この抜け防止部材を前記塞ぐ状態となるように押圧付勢するコイルばねと、前記フック本体の下部に設けられ、衣類をかけるように両側に形成される両肩支持部とを備え、前記抜け防止部材は、途中で折れ曲がり、略逆くの字形状に形成され、前記略逆くの字形状の一方の前記フック本体の前記切欠部を塞ぐ側は一方側部であり、前記略逆くの字形状の他方の側は他方側部であり、この他方側部は、前記折れ曲がりの側が開放した開放部と前記折れ曲がりの側と反対の側の端部が閉塞した閉塞部とを有し、この閉塞部から前記開放部に至る部位に通路が形成され、前記フック本体の下部は、前記両肩支持部の中央に向かって略垂下する垂下部に形成され、前記垂下部の断面形状は、略コの字形状であり、
前記コイルばねは、巻回部と、この巻回部の一端が直線状に延びた第１の直線部と、前記巻回部の他端が直線状に延びた第２の直線部とを有し、前記軸は、前記コイルばねの前記巻回部を貫通して取り付けられ、前記コイルばねの前記第１の直線部は前記他方側部内に位置し、前記コイルばねの前記第２の直線部は前記垂下部内に位置し、前記垂下部の略コの字形状の開放部は、第１の部材で閉塞され、前記第１の部材は、前記コイルばねの前記第２の直線部に対向し、前記他方側部が前記第１の直線部から離脱する長手方向への移動を規制する第１の移動規制手段と、前記垂下部が前記第２の直線部から離脱する長手方向への移動を規制する第２の移動規制手段と、を備え、この第１の移動規制手段は、コイルばねの第１の直線部の先端側が折り返されて形成されたＵ字形状部の弾性力によって前記Ｕ字形状部が他方側部の内壁に当接し、前記他方側部が前記第１の直線部から離脱する長手方向への移動を規制するか、又は、前記コイルばねの前記第１の直線部の先端側に形成された第１の鈎部と、前記他方側部内に設けられた第１の係止部とを備え、前記第１の鈎部と前記コイルばねの巻回部との間に前記第１の係止部が位置し、前記他方側部が前記第１の直線部から離脱する長手方向への移動を規制するか、又は、前記コイルばねの前記第１の直線部の先端側に形成された第１の鈎部と、前記第１の鈎部に対向する前記他方側部の部位に設けられた第１の開口部とを備え、前記第１の鈎部が前記第１の開口部に位置し、前記他方側部が前記第１の直線部から離脱する長手方向への移動を規制するものである。
【０００９】
また、請求項５記載のハンガーは、請求項２又は４記載のハンガーにおいて、第２の移動規制手段は、前記コイルばねの第２の直線部の先端側が折り返されて形成されたＵ字形状部の弾性力によって前記Ｕ字形状部が垂下部の内壁に当接し、前記垂下部が前記第２の直線部から離脱する長手方向への移動を規制するか、又は、前記コイルばねの前記第２の直線部の先端側に形成された第２の鈎部と、前記垂下部内に設けられた第２の係止部とを備え、前記第２の鈎部と前記コイルばねの巻回部との間に前記第２の係止部が位置し、前記垂下部が前記第２の直線部から離脱する長手方向への移動を規制するか、又は、前記コイルばねの前記第２の直線部の先端側に形成された第２の鈎部と、前記第２の鈎部に対向する前記他方側部の部位に設けられた第２の開口部とを備え、前記第２の鈎部が前記第２の開口部に位置し、前記垂下部が前記第２の直線部から離脱する長手方向への移動を規制するものである。
【発明の効果】
【００１０】
請求項１記載のハンガーによれば、経時的変化等により、抜け防止部材の他方側部が破損しても、抜け防止部材の他方側部は、第１の移動規制手段により第１の直線部から離脱する長手方向への移動を規制されているため、第１の直線部は他方側部内に留まり、コイルばねの第１の直線部が剥き出しの状態となることが防止され、コイルばねの第１の直線部の端部の剥き出しによる手等の損傷、コイルばねの跳ね飛びによる作業者の損傷を防ぐことができる。
また、経時的変化等により、フック本体の垂下部が破損しても、フック本体の垂下部は、第２の移動規制手段により第２の直線部から離脱する長手方向への移動を規制されているため、第２の直線部は垂下部内に留まり、コイルばねの第２の直線部が剥き出しの状態となることが防止され、コイルばねの第２の直線部の端部の剥き出しによる手等の損傷、コイルばねの跳ね飛びによる作業者の損傷を防ぐことができる。
【００１１】
また、請求項２記載のハンガーによれば、経時的変化等により、抜け防止部材の他方側部が破損しても、抜け防止部材の他方側部は、第１の移動規制手段により第１の直線部から離脱する長手方向への移動が、フック本体の垂下部が破損しても、フック本体の垂下部は、第２の移動規制手段により第２の直線部から離脱する長手方向への移動が、それぞれ規制されているため、第１の直線部は他方側部内に、第２の直線部は垂下部内に、それぞれ留まり、コイルばねの第１の直線部、コイルばねの第２の直線部が剥き出しの状態となることが防止され、コイルばねの第１の直線部の端部、コイルばねの第２の直線部の端部の剥き出しによる手等の損傷、コイルばねの跳ね飛びによる作業者の損傷を防ぐことができる。  
【００１２】
また、請求項３記載のハンガーによれば、経時的変化等により、抜け防止部材の他方側部が破損しても、抜け防止部材の他方側部は、第１の移動規制手段により第１の直線部から離脱する長手方向への移動を規制されているため、第１の直線部は他方側部内に留まり、コイルばねの第１の直線部が剥き出しの状態となることが防止され、コイルばねの第１の直線部の端部の剥き出しによる手等の損傷、コイルばねの跳ね飛びによる作業者の損傷を防ぐことができる。
また、経時的変化等により、フック本体の垂下部が破損しても、フック本体の垂下部は、第２の移動規制手段により第２の直線部から離脱する長手方向への移動を規制されているため、第２の直線部は垂下部内に留まり、コイルばねの第２の直線部が剥き出しの状態となることが防止され、コイルばねの第２の直線部の端部の剥き出しによる手等の損傷、コイルばねの跳ね飛びによる作業者の損傷を防ぐことができる。
【００１３】
また、請求項４記載のハンガーによれば、経時的変化等により、抜け防止部材の他方側部が破損しても、抜け防止部材の他方側部は、第１の移動規制手段により第１の直線部から離脱する長手方向への移動が、フック本体の垂下部が破損しても、フック本体の垂下部は、第２の移動規制手段により第２の直線部から離脱する長手方向への移動が、それぞれ規制されているため、第１の直線部は他方側部内に、第２の直線部は垂下部内に、それぞれ留まり、コイルばねの第１の直線部、コイルばねの第２の直線部が剥き出しの状態となることが防止され、コイルばねの第１の直線部の端部、コイルばねの第２の直線部の端部の剥き出しによる手等の損傷、コイルばねの跳ね飛びによる作業者の損傷を防ぐことができる。  
【図面の簡単な説明】
【００１４】
【図１】図１は、本発明の一実施例のハンガーの概略的正面図である。
【図２】図２は、図１の２−２線による概略的断面図である。
【図３】図３は、図２の３−３線による概略的断面図である。
【図４】図４乃至図６は、図１の抜け防止部材をフック本体に取り付ける過程を示す概略図であり、図４は、図１の抜け防止部材にコイルばねを取り付ける前の状態の概略的断面図である。
【図５】図５は、図４のコイルばねを取り付けた抜け防止部材をフック本体に取り付ける前の状態の概略的断面図である。
【図６】図６は、図５の抜け防止部材をフック本体に取り付け、第１の部材を取り付ける前の状態の概略的断面図である。
【図７】図７は、図６の７−７線による概略的断面図である。
【図８】図８は、図６の第１の部材の概略的斜視図である。
【図９】図９は、図８の第１の部材をフック本体に取り付けた状態の概略的断面図である。
【図１０】図１０は、図９の１０−１０線による概略的断面図である。
【図１１】図１１は、図９の１１−１１線による概略的断面図である。
【図１２】図１２は、図３の第１の移動規制手段と異なる第１の移動規制手段を有した他の実施例の概略的断面図である。
【図１３】図１３は、図１２の第１の移動規制手段と異なる第１の移動規制手段を有した他の実施例の概略的断面図である。
【図１４】図１４は、図１３の第１の移動規制手段と異なる第１の移動規制手段を有した他の実施例の概略的断面図である。
【図１５】図１５は、図３の第２の移動規制手段と異なる第２の移動規制手段を有した他の実施例の概略的断面図である。
【図１６】図１６は、図１５の第２の移動規制手段と異なる第２の移動規制手段を有した他の実施例の概略的断面図である。
【図１７】図１７は、図７の軸と異なる軸を有した他の実施例の概略的断面図である。
【図１８】図１８は、従来のハンガーの概略的正面図である。
【図１９】図１９は、図１８の１９−１９線による概略的断面図である。
【図２０】図２０は、図１８の２０−２０線による概略的断面図である。
【図２１】図２１は、図１８のハンガーの一部が破損した状態を示す概略的正面図である。
【発明を実施するための形態】
【００１５】
本発明の一実施例のハンガーを図面（図１乃至図１１）を参照して説明する。  
図１及び図２に示すＨはハンガーで、ハンガーＨは、物干し竿（図示せず）に吊下げられる湾曲状をした吊下部１ａが上部に設けられ、吊下部１ａの下側に物干し竿（図示せず）を通すための切欠部１ｂ（図５参照）が形成されたフック本体１を有している。
また、フック本体１の下部は、両肩支持部２の中央に向かって略垂下する垂下部１ｃに形成されている（図１、図５、図６及び図９参照）。
垂下部１ｃの断面形状は、図１０及び図１１に示すように、略コの字形状であり、垂下部１ｃの略コの字形状の開放部は、第１の部材１０で閉塞されている（図６参照）。
この第１の部材１０は、図３に示すように、コイルばね３の後述する第２の直線３３に対向している。
なお、両肩支持部２、２は、フック本体１の下部に設けられ、衣類をかけるように両側に形成されるものである。
【００１６】
また、図１に示す４は抜け防止部材で、抜け防止部材４は、フック本体１の切欠部１ｂよりも下側の位置に設けた軸５に、切欠部１ｂ（図５参照）を塞ぐ状態（図１及び図３参照）と切欠部１ｂ（図５参照）を開放する状態とにわたり揺動可能に支持されている。
抜け防止部材４は、途中で折れ曲がり、略逆くの字形状に形成され、前記略逆くの字形状の一方のフック本体１の切欠部１ｂを塞ぐ側は一方側部４１であり、前記略逆くの字形状の他方の側は他方側部４２である。
この他方側部４２は、図３に示すように、前記折れ曲がりの側が開放した開放部４２ａと前記折れ曲がりの側と反対の側の端部が閉塞した閉塞部４２ｂとを有し、この閉塞部４２ｂから開放部４２ａに至る部位に通路４２ｃが形成されている（図３、図４、図５、図６及び図９参照）。
軸５は、図７に示すように、抜け防止部材４の表側に位置する第１の軸５１と、抜け防止部材４の裏側に位置する第２の軸５２とを有している。なお、第１の軸５１と第２の軸５２とは、本実施例においては、抜け防止部材４に一体的に設けられ、第１の軸５１はフック本体１に設けられた第１の開口部１ｄに、第２の軸５２はフック本体１に設けられた第２の開口部１ｅに、それぞれ挿入されている。
【００１７】
また、コイルばね３は、抜け防止部材４を前記塞ぐ状態（図３、図６及び図９参照）となるように押圧付勢するものである。
コイルばね３は、図４に示すように、巻回部３１と、この巻回部３１の一端が直線状に延びた第１の直線部３２と、巻回部３１の他端が直線状に延びた第２の直線部３３とを有し、コイルばね３の巻回部３１は、図７に示すように、フック本体１の第１の軸５１と第２の軸５２との間の空所に位置している。
そして、図３に示すように、コイルばね３の第１の直線部３２は他方側部内４２に位置し、コイルばね３の第２の直線部３３は垂下部１Ｃ内に位置し、第１の部材１０は、コイルばね３の第２の直線部３３に対向している（図３、図６及び図８参照）。
なお、上述した他方側部４２は、第１の移動規制手段Ｘにより第１の直線部３２から離脱する長手方向への移動を規制される。
この第１の移動規制手段Ｘは、例えば、図３に示すように、コイルばね３の第１の直線部３２の先端側が折り返されて形成されたＵ字形状部の弾性力によって前記Ｕ字形状部が他方側部４２の内壁に当接し、他方側部４２が第１の直線部３２から離脱する長手方向（例えば、図９に示すＡ方向）への移動を規制するものである。
また、上述した垂下部１ｃは、第２の移動規制手段Ｙにより第２の直線部３３から離脱する長手方向への移動を規制される。
この第２の移動規制手段Ｙは、例えば、図３に示すように、コイルばね３の第２の直線部３３の先端側に形成された第２の鈎部３３Ｙと、垂下部１Ｃ内に設けられた第２の係止部（例えば、突起）１０Ｙとを備え、第２の鈎部３３Ｙとコイルばね３の巻回部３１との間に第２の係止部１０Ｙが位置し、垂下部１Ｃが第２の直線部３３から離脱する長手方向（例えば、図９に示すＢ方向）への移動を規制するものである。
【００１８】
従って、上述したハンガーＨによれば、経時的変化等により、抜け防止部材４の他方側部４２が破損しても、抜け防止部材４の他方側部４２は、第１の移動規制手段Ｘにより第１の直線部３２から離脱する長手方向への移動を規制されているため、第１の直線部３２は他方側部４２内に留まり、コイルばね３の第１の直線部３２が剥き出しの状態となることが防止され、コイルばね３の第１の直線部３２の端部の剥き出しによる手等の損傷、コイルばね３の跳ね飛びによる作業者の損傷を防ぐことができる。
また、経時的変化等により、フック本体１の垂下部１ｃが破損しても、フック本体１の垂下部１ｃは、第２の移動規制手段Ｙにより第２の直線部３３から離脱する長手方向への移動を規制されているため、第２の直線部３３は垂下部１ｃ内に留まり、コイルばね３の第２の直線部３３が剥き出しの状態となることが防止され、コイルばね３の第２の直線部３３の端部の剥き出しによる手等の損傷、コイルばね３の跳ね飛びによる作業者の損傷を防ぐことができる。
【００１９】
なお、上述の実施例においては、第１の移動規制手段Ｘは、例えば、コイルばね３の第１の直線部３２の先端側が折り返されて形成されたＵ字形状部の弾性力によって前記Ｕ字形状部が他方側部４２の内壁に当接し、抜け防止部材４の他方側部４２が第１の直線部３２から離脱する長手方向（例えば、図９に示すＡ方向）への移動を規制するようにしたが、図１２に示すように、コイルばね３の第１の直線部３２の先端側に形成された第１の鈎部３２Ｘと、他方側部４２内に設けられた第１の係止部（例えば、突起）１０Ｘとを備え、第１の鈎部３２Ｘとコイルばね３の巻回部３１との間に第１の係止部１０Ｘが位置し、他方側部４２が第１の直線部３２から離脱する長手方向（例えば、図９に示すＡ方向）への移動を規制するようにしても良い。第１の係止部１０Ｘは、突起に限らず、例えば、図１３に示す第１の開口部（穴）１０Ｘでも良い。
即ち、第１の鈎部３２Ｘを第１の開口部（穴）１０Ｘ内に位置させ、抜け防止部材４の他方側部４２が第１の直線部３２から離脱する長手方向（例えば、図９に示すＡ方向）への移動を規制するようにする。なお、図１３に示す第１の開口部（穴）１０Ｘは、第１の鈎部３２Ｘに対向する他方側部４２の部位に設けられている。第１の係止部１０Ｘの場合、他方側部４２の断面形状は、垂下部１ｃの断面形状と同様に、略コの字形状であり、他方側部４２の略コの字形状の開放部は、第２の部材２０で閉塞されるようにするのが望ましい。また、図３に記載の第１の直線部３２の先端側の折り返しは、図１４に示すように、図３と逆に折り返すようにしても良い。
【００２０】
また、上述の実施例においては、第２の移動規制手段Ｙは、例えば、コイルばね３の第２の直線部３３の先端側に形成された第２の鈎部３３Ｙと、垂下部１Ｃ内に設けられた第２の係止部１０Ｙとを備え、第２の鈎部３３Ｙとコイルばね３の巻回部３１との間に第２の係止部１０Ｙが位置し、垂下部１ｃが第２の直線部３３から離脱する長手方向（例えば、図９に示すＢ方向）への移動を規制するようにしたが、第２の係止部１０Ｙは、突起に限らず、図１３に示す第２の開口部（穴）１０Ｙでも良い。
即ち、第２の鈎部３３Ｙを第２の開口部（穴）１０Ｙ内に位置させ、抜け防止部材４の他方側部４２が垂下部１ｃが第２の直線部３３から離脱する長手方向（例えば、図９に示すＢ方向）への移動を規制するようにする。なお、図１３に示す第２の開口部（穴）１０Ｙは、第２の鈎部３３Ｙに対向する垂下部１ｃの部位に設けられている。
また、図１４及び図１５に示すように、コイルばね３の第２の直線部３３の先端側が折り返されて形成されたＵ字形状部の弾性力によって前記Ｕ字形状部が垂下部１Ｃの内壁に当接し、垂下部１ｃが第２の直線部３３から離脱する長手方向（例えば、図９に示すＢ方向）への移動を規制するようにしても良い。また、図３に記載の第２の直線部３３の先端側に形成された第２の鈎部３３Ｙの折り曲げの方向を、図１６に示すように、逆に折り曲げるようにしても良い。
【００２１】
また、上述の実施例においては、第１の軸５１と第２の軸５２とを抜け防止部材４に一体的に設けるようにしたが、本願発明にあっては、これに限らず、図１７に示すように、軸５と抜け防止部材４とをそれぞれ別体に設け、該軸５をコイルばね３の巻回部３１を貫通して第１の開口部１ｄ、第２の開口部１ｅに、それぞれ挿入して取り付けるようにしても良い。
【符号の説明】
【００２２】
Ｈ      ハンガー
Ｘ      第１の移動規制手段
Ｙ      第２の移動規制手段
１      フック本体
１ｃ    垂下部
３      コイルばね
４      抜け防止部材
４２    他方側部
１０    第１の部材
３２    第１の直線部
３３    第２の直線部
【図１】
0005860645.tif 000002
【図２】
0005860645.tif 000003
【図３】
0005860645.tif 000004
【図４】
0005860645.tif 000005
【図５】
0005860645.tif 000006
【図６】
0005860645.tif 000007
【図７】
0005860645.tif 000008
【図８】
0005860645.tif 000009
【図９】
0005860645.tif 000010
【図１０】
0005860645.tif 000011
【図１１】
0005860645.tif 000012
【図１２】
0005860645.tif 000013
【図１３】
0005860645.tif 000014
【図１４】
0005860645.tif 000015
【図１５】
0005860645.tif 000016
【図１６】
0005860645.tif 000017
【図１７】
0005860645.tif 000018
【図１８】
0005860645.tif 000019
【図１９】
0005860645.tif 000020
【図２０】
0005860645.tif 000021
【図２１】
0005860645.tif 000022